(57)【特許請求の範囲】
【請求項１】
被混合物出し入れ用の開口が前部に形成された回転容器と、前記回転容器を前記開口が斜め上方を向く姿勢と斜め下方を向く姿勢に回動自在に支持する支持手段と、前記支持手段に支持された回転容器を昇降動作させる昇降手段と、前記回転容器に回転自在に設けられたコロと、前記回転容器の昇降動作に伴い前記コロが接触した状態で走行するガイド傾斜面とを具備するミキサーにおいて、前記ガイド傾斜面は凹状の湾曲面となっていることを特徴とするミキサー。
【請求項２】
請求項１に記載したミキサーにおいて、コロは回転容器の後部側に備えられていることを特徴とするミキサー。
【請求項３】
請求項１または２記載のミキサーにおいて、コロは左右方向に離間して一対設けられており、前記一対のコロに対応してガイド傾斜面も一対設けられていることを特徴とするミキサー。
【発明の詳細な説明】
【技術分野】
【０００１】
本発明は被混合物である食品、薬品等を混合するミキサーに係り、特に被混合物を収容する回転容器を備えるミキサーに関するものである。
【背景技術】
【０００２】
この種のミキサーとしては、特許文献１に記載されたものがある。このミサーは回転容器と、この回転容器内へ入り込む攪拌羽根とを備えており、回転容器を回転させて被混合物の混合を行う。そして、このミキサーは、被混合物や洗浄水を回転容器から出すために、回転容器を約９０度横転した状態に倒すことができるようになっている。
【先行技術文献】
【特許文献】
【０００３】
【特許文献１】特開２００２−１６５７１０号公報
【発明の概要】
【発明が解決しようとする課題】
【０００４】
しかしながら、被混合物や洗浄水を回転容器から出す際には、９０度より大きな角度で回転容器を傾けたい場合がある。特に洗浄水を排出する場合は、なるべく大きな角度で回転容器を傾けることができる方が望ましく、上記従来のミキサーでは対応できないという問題がある。
【０００５】
また、回転容器がドラム状を為すミキサーもあるが、このタイプのミキサーでは、回転容器が水平より僅かに倒れる姿勢、すなわち被混合物を出し入れする開口が僅かに斜め下を向く程度にしか、回転容器を傾けることができない。この種のミキサーは、回転容器の後端部側に設けられたコロと、このコロが接触する傾斜面を有し、回転容器が昇降動作すると、コロがガイド傾斜面を走行して、これにより回転容器は回動するようになっている。
ところが、ガイド傾斜面を配置できるスペースは限られており、ガイド傾斜面の距離を長くとれないことから、回転容器を大きい角度で傾けることはできなかった。
【０００６】
本発明は、このような現状に鑑みてなされたもので、ガイド傾斜面の配置スペースを最小限とでき、且つ回転容器を大きい角度で傾けることができるミキサーの提供を、その目的とする。
【課題を解決するための手段】
【０００７】
本発明は上記課題を解決するためになされたものであり、請求項１の発明は、被混合物出し入れ用の開口が前部に形成された回転容器と、前記回転容器を前記開口が斜め上方を向く姿勢と斜め下方を向く姿勢に回動自在に支持する支持手段と、前記支持手段に支持された回転容器を昇降動作させる昇降手段と、前記回転容器に回転自在に設けられたコロと、前記回転容器の昇降動作に伴い前記コロが接触した状態で走行するガイド傾斜面とを具備するミキサーにおいて、前記ガイド傾斜面は凹状の湾曲面となっていることを特徴とするミキサーである。
【０００８】
請求項２の発明は、請求項１に記載したミキサーにおいて、コロは回転容器の後部側に備えられていることを特徴とするミキサーである。
【０００９】
請求項３の発明は、請求項１または２記載のミキサーにおいて、コロは左右方向に離間して一対設けられており、前記一対のコロに対応してガイド傾斜面も一対設けられていることを特徴とするミキサーである。
【発明の効果】
【００１０】
本発明のミキサーによれば、ガイド傾斜面の配置スペースを最小限とでき、且つ回転容器を大きい角度で傾けることが可能となる。
【図面の簡単な説明】
【００１１】
【図１】本発明の実施の形態に係るミキサーの側面図である。
【図２】図１のミキサーの回転容器を開口が斜め下方を向く姿勢にした状態を示す側面図である。
【図３】図１のミキサーの一部正面図である。
【図４】図１のミキサーの移動機構の斜視図である。
【発明を実施するための形態】
【００１２】
本発明の実施の形態に係るミキサー１を図面にしたがって説明する。
ミキサー１は、門形状の外郭を有する支持体３、この支持体３に支持された回転容器５、この回転容器５を上下方向に昇降動作させる昇降手段としての移動機構７、回転容器５の後部側に備えられたコロ９、支持体３の内側に設けられたガイドブロック１１等を有している。
【００１３】
図３に示すように支持体３は、回転容器５の左右両側に位置して上下方向へ延びる側面部材１３、１５と、側面部材１３、１５の上端部どうしを連結固定する上部フレーム１７と、側面部材１３、１５の下端部どうしを連結固定する下部フレーム１９等を有している。
【００１４】
回転容器５はドラム状を為しており、この回転容器５の前部には被混合物出し入れ用の開口２１が形成されている。回転容器５の内部には図示しない羽根部材が設けられている。
回転容器５の開口２１側寄りにはフランジ２５が取り付けられており、このフランジ２５は図示しないベアリング構造によって回転容器５を回転可能に保持している。回転容器５の後部側には、回転容器５を回転駆動する駆動源としての図示しないモータを収容したモータ支持部２７が設けられている。また、フランジ２５の左右側面には、フランジ２５とモータ支持部２７とを連結固定するサイドフレーム２８（図４参照）が設けられている。
【００１５】
図３に示すようにコロ９は一対設けられており、一対のコロ９は左右方向に互いに離間した状態でモータ支持部２７の下面に回転自在に備えられている。
また、ガイドブロック１１も一対設けられており、一対のガイドブロック１１は下部フレーム１９上のコロ９に対応する位置に配置されている。ガイドブロック１１の上面はガイド傾斜面２９となっており、このガイド傾斜面２９は凹状の湾曲面に形成されている。従って、ガイド傾斜面２９の距離は、湾曲しない平坦な従来のガイド傾斜面の距離よりも長くなっている。
このようにガイド傾斜面２９は湾曲面となっているので、ガイド傾斜面２９の距離が従来のガイド傾斜面の距離よりも長くなっているにもかかわらず、ガイド傾斜面２９の配置スペースを最小限とすることが可能である。
【００１６】
各移動機構７は左右同様の構成を有しているので、右側の移動機構７について図４にしたがって説明する。
移動機構７はガイドベース３１と、円盤状のスライダ３３と、このスライダ３３を昇降させる駆動部３５とを有している。
ガイドベース３１の内面側には上下方向に延びる主ガイドレール３７が溝として形成され、更に、主ガイドレール３７の前側に、上下方向へ延び、上方における途中位置で主ガイドレール３７から離れるように延びる副ガイドレール３９が溝として形成されている。
【００１７】
スライダ３３には、径方向の対向する位置に主ガイドレール３７に係合する係合凸部４１と、副ガイドレール３９に係合する係合凸部４３が設けられている。また、スライダ３３には、その中心部に中心孔４５が形成されているとともに、周方向に４つの係合凹部４７が形成されている。各係合凹部４７は回転方向（周方向）に延びる長穴状に形成されている。
【００１８】
駆動部３５は、ガイドベース３１の内方における上下に回転自在に支持されたスプロケット５５、５７と、これらのスプロケット５５、５７間に掛け回された無端状のチェーン５９と、このチェーン５９に固定され、主ガイドレール３７に係合された係合凸部４１を保持する保持部材６１と、下部のスプロケット５７を回転駆動する駆動源としての図示しないモータを有している。
【００１９】
前述したサイドフレーム２８には、スライダ３３の各係合凹部４７に入り込む軸ピン６３と、中心孔４５に入り込む支持手段としての中心ピン６５が設けられている。この中心ピン６５によって回転容器５はその開口２１が斜め上方を向く姿勢と斜め下方を向く姿勢に回動自在に支持される。
回転容器５、フランジ２５、モータ支持部２７及びサイドフレーム２８から成るユニットは、中心ピン６５を中心として図１の右側（モータ支持部２７側）が重くなるようにウエートバランスが設定されており、従って、回転容器５は同図において時計回りの方向へ付勢されている。
【００２０】
次に、ミキサー１の動作について説明する。
食品、薬品等の被混合物を回転容器５に投入し、回転容器５を回転させて被混合物を混合してから、被混合物を回転容器５から排出する。
回転容器５を洗浄する場合には、図１に示すように開口２１が斜め上方を向く姿勢とする。この状態で回転容器５内に水や洗剤を入れてから、回転容器５を回転させ、場合によってはブラシ等で回転容器５内をこする。
【００２１】
そして、図示しない下降ボタンを押して回転容器５を下降させる。この回転容器５の下降動作に伴って、コロ９はガイド傾斜面２９に接触した状態でガイド傾斜面２９上を斜め上方に向かって走行し、従来のガイド傾斜面の距離よりも長い距離を移動する。
コロ９はガイド傾斜面２９に接触しているので、回転容器５の後部側が支持され、これにより回転容器５は、図１において中心ピン６５を中心として反時計回りの方向へ回動する。上記したようにコロ９は長い距離移動するので、図２に示すように回転容器５は９０度（水平方向の角度）よりも相当大きい角度で傾く姿勢となる。
【００２２】
このように回転容器５を９０度よりも相当大きい角度で傾けることができるので、回転容器５内の洗浄水を略完全に排出することが可能となる。
また、上記のように回転容器５を傾けると、開口２１は床面に近い位置で斜め下方を向くことになる。従って、排出された洗浄水が跳ね返って周りに飛散してしまうことがない。
前述したようにコロ９は回転容器５の後部側に備えられているので、コロ９が洗浄水の排出、即ち排水の邪魔になることがない。
【００２３】
次に、図示しない上昇ボタンを押して回転容器５を上昇させる。この回転容器５の上昇動作に伴って、回転容器５は中心ピン６５を中心として時計回りの方向へ回動し、コロ９はガイド傾斜面２９に接触した状態でガイド傾斜面２９上を斜め下方に向かって走行する。そして、回転容器５を、図１に示すように開口２１が斜め上方を向く姿勢とする。
【００２４】
前述したようにコロ９とガイドブロック１１は左右方向に離間して一対ずつ設けられているので、回転容器５が昇降動作に伴って回動する際に左右に振れてしまうことがない。
次いで、上記同様に回転容器５内に水などを入れてから、回転容器５を回転させた後、回転容器５を下降させて洗浄水を排出する。そして、この作業を繰り返し行う。
【００２５】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、洗浄水を排出したが、洗浄水ではなく被混合物を排出してもよい。
ガイド傾斜面２９をガイドブロック１１によって構成したが、ガイド傾斜面２９を、例えば板状の部材によって構成してもよい。
【産業上の利用可能性】
【００２６】
本発明は、食品産業で使用することができるばかりでなく、セラミック、窯業、化学薬品、プラスチック、産業廃棄物等の産業分野における混合攪拌にも利用できるものである。
【符号の説明】
【００２７】
１…ミキサー      ３…支持体      ５…回転容器
７…移動機構      ９…コロ      １１…ガイドブロック
１３、１５…側面部材      １７…上部フレーム      １９…下部フレーム
２１…開口      ２５…フランジ      ２７…モータ支持部
２８…サイドフレーム      ２９…ガイド傾斜面      ３１…ガイドベース
３３…スライダ      ３５…駆動部      ３７…主ガイドレール
３９…副ガイドレール      ４１、４３…係合凸部      ４５…中心孔
４７…係合凹部      ５５、５７…スプロケット      ５９…チェーン
６１…保持部材      ６３…軸ピン      ６５…中心ピン
【図１】
0005544245.tif 000002
【図２】
0005544245.tif 000003
【図３】
0005544245.tif 000004
【図４】
0005544245.tif 000005